(57)【要約】【課題】運動時の胸の揺れ軽減効果に優れるブラジャーの提供。【解決手段】一対のカップ部と、該カップ部の前中心側を互いに連結する連結部と、該カップ部の脇側に隣接するウイング部と、端部が該カップ部と該ウイング部とに連結された肩紐部とを有する本体、並びに該カップ部上又は該連結部と該カップ部との境界部から、該カップ部の少なくとも一部及び該ウイング部の少なくとも一部を覆うように配置されたサブウイング部を有するブラジャーであって、該サブウイング部が、該本体と接合されている接合部と、該本体と接合されていない非接合部とを有し、接合部の少なくとも一部は、バストトップＨから連結部とカップ部との境界部の上端点Ｑまでを最短距離で繋ぐ線分上と；バストトップＨから該背中心Ｃに向かって該バストトップＨから該背中心Ｃまでの距離の５５〜１００％の位置とに存在するブラジャー。【選択図】図１
2018178281.tif 000002
【特許請求の範囲】
【請求項１】
一対のカップ部と、該カップ部の前中心側を互いに連結する連結部と、該カップ部の脇側に隣接するウイング部と、端部が該カップ部と該ウイング部とに連結された肩紐部とを有する本体、並びに
該カップ部上又は該連結部と該カップ部との境界部から、該カップ部の少なくとも一部及び該ウイング部の少なくとも一部を覆うように配置されたサブウイング部
を有するブラジャーであって、
該サブウイング部が、該本体と接合されている接合部と、該本体と接合されていない非接合部とを有し、接合部の少なくとも一部は、該カップ部のバストトップＨから該ウイング部の背中心Ｃまでを最短距離で繋ぐ線分が最長になるようにブラジャーを配置したときに：
バストトップＨから連結部とカップ部との境界部の上端点Ｑまでを最短距離で繋ぐ線分上と；
バストトップＨから背中心Ｃまでを最短距離で繋ぐ線分上において、該線分と同一方向の法線を有する平面を規定した場合に、該バストトップＨから該背中心Ｃに向かって、該バストトップＨから該背中心Ｃまでの距離の５５〜１００％の位置の該平面上と；
に存在する、ブラジャー。
【請求項２】
該カップ部が、
カップ上縁に沿って延びる上縁高応力部であって、カップ中央部の伸長応力Ｓ１に対する上縁高応力部の伸張応力Ｓ２の比Ｓ２／Ｓ１が２／１〜４００／１である、上縁高応力部、若しくは
カップ下縁に沿って延びる下縁高応力部であって、カップ中央部の伸長応力Ｓ１に対する下縁高応力部の伸張応力Ｓ３の比Ｓ３／Ｓ１が２／１〜４００／１である下、縁高応力部、
又はこれらの両方を有する、請求項１に記載のブラジャー。
【請求項３】
肩紐部の平均断面積が２０〜１２０ｍｍ2である、請求項１又は２に記載のブラジャー。
【請求項４】
肩紐部のカップ部前中心側端点の距離が最大となるようにブラジャーを配置したときに、肩紐部のカップ部前中心側端点と該連結部の前中心下端点とを結んで形成される三角形の面積に占めるブラジャー構成素材が存在しない部分の面積の割合が６０％以上である、請求項１〜３のいずれか一項に記載のブラジャー。
【請求項５】
最大着圧が５０ｈＰａ以下である、請求項１〜４のいずれか一項に記載のブラジャー。
【発明の詳細な説明】
【技術分野】
【０００１】
本発明は着用動作時の胸の揺れを抑えるブラジャーに関する。より詳細には、本発明は、快適性を損なわずに着用動作時の胸の揺れ抑制効果、すなわち防振性を備えたブラジャーに関する。
【背景技術】
【０００２】
ブラジャーは胸の形をきれいに整えることを主な目的の一つとするが、運動時の胸の揺れを抑えることも大きな役割の一つである。しかし、ブラジャーを着用していても、歩いたり、走ったりすると、胸が大きく揺れる場合が多い。特に胸のサイズが大きい場合には、その揺れは非常に大きくなり、不快及び着用者への負担になるばかりか胸の下垂の原因にもなる。この揺れを軽減する方法としては強い着圧のブラジャーをつける方法が効果を奏するが、この方法では着用快適性は著しく悪化する。また、運動時においては、特に胸の揺れはさらに大きくなるため、着用者の動作の妨げになったり、負担になったりと問題がより顕在化する。このため、運動時の胸の揺れを軽減するブラジャーとしてスポーツ用ブラジャーが多数開発されている（特許文献１及び２）。しかし、スポーツ用ブラジャーは運動時の揺れを抑えるために、被覆面積が大きく、胸の谷間を覆うデザインが多い。このため、審美性に欠け、日常での使用が好まれないことが多い。
【０００３】
このため、日常での使用を考慮すると、胸の谷間を大きく開け、審美性を保った状態で、日常の軽い運動時に胸の揺れを軽減し、着圧も適正であるブラジャーの開発が望まれている。
【０００４】
しかし、胸が大きいサイズにおいては、ボリュームを小さく見せたいという要望もある。これは、バストボリュームを小さく見せることで、外観をスリムに見せたいという要望のためである。
【０００５】
特許文献３は、カップ部の前中心部分からバストトップ周辺部を経由して脇側部分に至る領域に接する部分のバストを押圧する押圧部と、前記押圧部の下側部分の少なくとも一部に、前記押圧されたバストボリュームが膨出するための膨出容易領域とを備えているブラジャーを記載する。
【０００６】
特許文献４は、一対のカップ部、該カップ部の前中心側を互いに連結する連結部、ウイング部、及び端部が該一対のカップ部と該ウイング部とに連結された肩紐部を備えたブラジャーにおいて、該カップ部が少なくともパッドを有し、該パッドが、パッド上縁、若しくはパッド下縁、又はこれらの両者に沿って延びるパッド高応力部であって、パッドのバストトップ部の伸張応力Ｓ１に対するパッド高応力部の伸張応力Ｓ２の比Ｓ２／Ｓ１が２／１〜８０／１であるパッド高応力部を有する、ブラジャーを記載する。
【先行技術文献】
【特許文献】
【０００７】
【特許文献１】特許第４４１３５４８号公報
【特許文献２】特許第５５５７５５６号公報
【特許文献３】特許第５８０７７３５号公報
【特許文献４】特開２０１４−１６３０１８号公報
【発明の概要】
【発明が解決しようとする課題】
【０００８】
特許文献３に記載されるブラジャーによれば、バストボリュームを小さく見せることは可能になるものの、動作時の胸の揺れには着目しておらず、着用快適性が十分とは言えない。
【０００９】
また、特許文献４のブラジャーにおいては、カップ部からウイング部の一部に亘る領域において、ブラジャー本体上にサブウイング部を配置している。本体の布帛と引張応力の異なる生地布帛から作製されたサブウイングを配置することで、着用時に本体布帛とサブウイングの引張応力差により、カップ部におけるサブウイング部の接合部からウイング部に向けて引っ張る力が働き、防振効果が発揮されるようにしている。このようなサブウイング部による効果により、胸の谷間を大きく開けながらも、快適性を損なうことなく、動作時の揺れを抑えることは可能となる。しかし、このようなブラジャーは胸を寄せてバストボリュームがしっかりと出ることが意図されており、バストボリュームを小さく見せたい要望に対しては、十分に応えることができなかった。
【００１０】
したがって、本発明が解決しようとする課題は、運動時の胸の揺れ軽減効果、すなわち防振性に優れるブラジャーを提供することであり、好ましくは、防振性に加え、快適性にも優れ且つバストボリュームを小さく見せることができるブラジャーを提供することである。
【課題を解決するための手段】
【００１１】
本発明者らは、上記課題を解決すべく鋭意研究し、実験を重ねた結果、開口部且つ特定の防振部を有するブラジャーにおいて、特定配置のサブウイング部によって、高い防振性を保持しつつも、着圧を上げることなく、大きなサイズにおいてもバストボリュームを小さく見せることが可能であることを見出し、本発明を完成するに至った。すなわち、本発明は以下のとおりである。
【００１２】
［１］  一対のカップ部と、該カップ部の前中心側を互いに連結する連結部と、該カップ部の脇側に隣接するウイング部と、端部が該カップ部と該ウイング部とに連結された肩紐部とを有する本体、並びに
該カップ部上又は該連結部と該カップ部との境界部から、該カップ部の少なくとも一部及び該ウイング部の少なくとも一部を覆うように配置されたサブウイング部
を有するブラジャーであって、
該サブウイング部が、該本体と接合されている接合部と、該本体と接合されていない非接合部とを有し、接合部の少なくとも一部は、該カップ部のバストトップＨから該ウイング部の背中心Ｃまでを最短距離で繋ぐ線分が最長になるようにブラジャーを配置したときに：
バストトップＨから連結部とカップ部との境界部の上端点Ｑまでを最短距離で繋ぐ線分上と；
バストトップＨから背中心Ｃまでを最短距離で繋ぐ線分上において、該線分と同一方向の法線を有する平面を規定した場合に、該バストトップＨから該背中心Ｃに向かって、該バストトップＨから該背中心Ｃまでの距離の５５〜１００％の位置の該平面上と；
に存在する、ブラジャー。
［２］  該カップ部が、
カップ上縁に沿って延びる上縁高応力部であって、カップ中央部の伸長応力Ｓ１に対する上縁高応力部の伸張応力Ｓ２の比Ｓ２／Ｓ１が２／１〜４００／１である、上縁高応力部、若しくは
カップ下縁に沿って延びる下縁高応力部であって、カップ中央部の伸長応力Ｓ１に対する下縁高応力部の伸張応力Ｓ３の比Ｓ３／Ｓ１が２／１〜４００／１である下、縁高応力部、
又はこれらの両方を有する、上記態様１に記載のブラジャー。
［３］  肩紐部の平均断面積が２０〜１２０ｍｍ2である、上記態様１又は２に記載のブラジャー。
［４］  肩紐部のカップ部前中心側端点の距離が最大となるようにブラジャーを配置したときに、肩紐部のカップ部前中心側端点と該連結部の前中心下端点とを結んで形成される三角形の面積に占めるブラジャー構成素材が存在しない部分の面積の割合が６０％以上である、上記態様１〜３のいずれかに記載のブラジャー。
［５］  最大着圧が５０ｈＰａ以下である、上記態様１〜４のいずれかに記載のブラジャー。
【発明の効果】
【００１３】
本発明のブラジャーは、防振部として所定のサブウイング部を備えることにより、動作時の揺れ低減することができる。また、本発明の特定の態様では、上記サブウイング部と特定の防振部との組み合わせにより、大きいカップサイズの場合でも運動時の胸の上下動（Ｙ方向）及び左右動（Ｘ方向）さらには前後動（Ｚ方向）の胸全体の大きな揺れを抑えつつ、カップ内での細かな揺れも抑制することが可能となり、快適なブラジャーを提供できる。特に、本発明の特定の態様においては、カップの下縁及び／若しくは上縁に高応力部を設けること、特定の肩紐部を設けること、又はこれらの任意の２つ以上の組合せにより、更に良好な揺れ抑制効果を発揮できる。
【００１４】
また、本発明のブラジャーにおいては、バストトップ部よりも前中心側にサブウイング構造を設けることにより、揺れを低減しつつも、外観上の胸を小さく見せることが可能となる。本発明は、一般的なブラジャーに好適に適用できる。また、本発明によれば、大きいカップサイズの場合の揺れ抑制効果が特に顕著である。
【図面の簡単な説明】
【００１５】
【図１】本発明のブラジャーの構造の一例を示す模式図である。
【図２】本発明のブラジャーの構造の一例を示す模式図である。
【図３】本発明のブラジャーの構造の一例を示す模式図である。
【図４】本発明のブラジャーの構造の一例を示す模式図である。
【図５】本発明のブラジャーの構造の一例を示す模式図である。
【図６】実施例１におけるブラジャーの構造を示す模式図である。
【図７】実施例２におけるブラジャーの構造を示す模式図である。
【図８】実施例３におけるブラジャーの構造を示す模式図である。
【図９】実施例４におけるブラジャーの構造を示す模式図である。
【図１０】実施例５におけるブラジャーの構造を示す模式図である。
【図１１】比較例１におけるブラジャーの構造を示す模式図である。
【図１２】バストトップボリュームの外観上の見え方の計測に関する模式図である。
【発明を実施するための形態】
【００１６】
以下、本発明の典型的な態様の例について詳細に説明するが、本発明はこれらの態様に限定されるものではない。本開示の図面において、同一の符号が付された要素は同様の構成又は機能を有することが意図される。
本開示の一態様は、
一対のカップ部と、該カップ部の前中心側を互いに連結する連結部と、該カップ部の脇側に隣接するウイング部と、端部が該カップ部と該ウイング部とに連結された肩紐部とを有する本体、並びに
該カップ部上若しくは該連結部と該カップ部との境界部から、該カップ部の少なくとも一部及び該ウイング部の少なくとも一部を覆うように配置されたサブウイング部
を有するブラジャーを提供する。
【００１７】
図１〜５は、本発明のブラジャーの構造の一例を示す模式図である。図１を参照し、本発明の一態様に係るブラジャー１００は、一対のカップ部１０１と、該カップ部の前中心側を互いに連結する連結部１０２と、ウイング部１０３（これはカップ部１０１の脇側（すなわち着用者の脇側）に配置されている）を備える。連結部１０２は、例えば下辺テープとしてカップ部１０１の下縁に沿って延びてブラジャー下端を形成していてもよい。ウイング部１０３は着用者の背側に向かって延びる。ウイング部１０３は、基部と下辺部（例えばテープ）とを有することができる。各部材は布帛で構成されている。ブラジャーは、端部がウイング部１０３と一対のカップ部１０１とに連結された肩紐部１１０を更に備える。
【００１８】
本開示のブラジャーにおいて、カップ部は着用者の乳房を受け入れることが想定される。また、連結部は、該カップ部の前中心側を互いに連結することが想定される。また肩紐部は、フロント部から延びて着用者の左右各々の肩に掛け渡された後、着用者の背面側でウイング部に接続することが想定される。
【００１９】
本開示で、「着用者側」とは、ブラジャーの裏側（すなわちカップが凹形状となる側）を意図し、「外側」とは上記着用者側と反対側を意図する。
【００２０】
本開示で、ブラジャーに関して言及する「ヨコ方向」（例えば、連結部のヨコ方向）とは、２つのカップの配列方向であり、具体的には、ブラジャーを平置きした状態で、２つのカップのバストトップ位置が互いに最も離れるようにブラジャーを置いたときの、２つのバストトップ位置を結ぶ直線の方向を意図する。本開示で、ブラジャーの「タテ方向」とは、上記ヨコ方向と垂直の方向であり、着用者の身体の上下方向に対応することが意図される。
【００２１】
本開示で、「バストトップ」位置は、ブラジャー着用時に着用者のバストトップに対応する位置（すなわち着用者の乳首に対応する位置）を意図する。バストトップ位置は、カップの膨らみ形状（凸形状）の頂部である。本開示で、ブラジャーの「前中心線」及び「背中心線」とは、それぞれ、２つのバストトップ位置を結ぶ線分の中点を通ってブラジャーのタテ方向に延びる線であって、前中心線はフロント部上、背中心線はウイング部上の線である。
【００２２】
本開示で、ブラジャーの周長とは、本体において、前中心線から背中心線を通って前中心線に戻るように引いた線の最短長さ（但し、ブラジャーが長さ調節機構（例えば図４中の長さ調節機構１０６）を有する場合には周長が最大となるように長さ調節機構を調節した状態での値）を意図する。
【００２３】
図１及び３を特に参照し、本開示において、ブラジャーは防振部として、サブウイング部１０９を有する。特定の態様において、ブラジャーは、カップ部上又は連結部とカップ部との境界部から、カップ部の少なくとも一部及びウイング部の少なくとも一部を覆うように配置されたサブウイング部を有し、該サブウイング部は、本体と接合されている接合部と、本体と接合されていない非接合部とを有する。特定の態様において、接合部の少なくとも一部は、該カップ部のバストトップＨから該ウイング部の背中心Ｃまでを最短距離で繋ぐ線分が最長になるようにブラジャーを配置したときに：
（１）バストトップＨから連結部とカップ部との境界部の上端点Ｑ（以下、点Ｑともいう。）までを最短距離で繋ぐ線分Ｌ１（以下、線分Ｌ１ともいう。）上と；
（２）バストトップＨから背中心Ｃまでを最短距離で繋ぐ線分Ｉ（以下、線分Ｉともいう。）上において、該線分Ｉと同一方向の法線を有する平面Ｓを規定した場合に、該バストトップＨから該背中心Ｃに向かって、該バストトップＨから該背中心Ｃまでの距離の５５〜１００％の位置の該平面上と；
に存在する。このような配置のサブウイング部は、揺れを低減しつつ、外観上の胸を小さく見せることを可能とする点で有利である。
【００２４】
特定の態様において、サブウイング部と本体との接合部は、上記（１）の部位を含む領域に配置されたカップ部側接合部と、上記（２）の部位を含む領域に配置されたウイング部側接合部とを有する。
【００２５】
図１及び３を特に参照し、特定の態様において、カップ部側接合部は、カップ上縁周縁部（より具体的には、肩紐部とカップ部との脇側の連結点Ｐ（以下、点Ｐともいう。）から、幅Ｗ１をなす線分を通って肩紐部とカップ部との前中心側の連結点Ｐ１（以下、点Ｐ１ともいう。）を通り、更に点Ｑに至る線分）上の任意の位置から上記（１）の部位を通ってカップ下縁周縁部（より具体的には、ウイング部とカップ部との境界部の下部端点Ｙ（以下、点Ｙともいう。）からカップ最下点Ｋ（以下、点Ｋともいう。）を通って連結部とカップ部との境界部の下部端点Ｗ（以下、点Ｗともいう。）に至る線分）上の任意の位置に亘って延びるように設けられる。すなわち、カップ部側接合部は、上記（１）の部位を通ってブラジャーのタテ方向に亘って延びることができる。
【００２６】
特定の態様において、カップ部側接合部は、上記のカップ上端周縁部上に存在するカップ上部接合端部と、上記のカップ下端周縁部上に存在するカップ下部接合端部とを有する。以下では、カップ上部接合端部のうち最も前中心側の点をカップ上部前中心端点、最も背中心側の点をカップ上部背中心端点とし、カップ下部接合部端点のうち最も前中心側の点をカップ下部前中心端点とし、最も背中心側の点をカップ下部背中心端点として説明する。なおカップ上部接合端部及びカップ下部接合端部は、それぞれ１点であってもよく、この場合、カップ上部前中心端点とカップ上部背中心端点とは同一点であり、またカップ下部前中心端点とカップ下部背中心端点とは同一点であるものと理解される。しかし、良好な防振性を得る観点から、カップ上部前中心端点とカップ上部背中心端点とが異なる点であることが好ましく、また、カップ下部前中心端点とカップ下部背中心端点とが異なる点であることが好ましい。特に、サブウイング部の高さを得る観点から、カップ上部接合端部は、２点以上存在することが好ましく、カップ上部背中心端点が点Ｐから点Ｐ１まで延びる線上に存在することがより好ましい。
【００２７】
好ましい態様において、カップ上部接合端部は、カップ上部前中心端点から、これと異なる点であるカップ上部背中心端点まで連続している。また、好ましい態様において、カップ下部接合端部は、カップ下部前中心端点から、これと異なる点であるカップ下部背中心端点まで連続している。
【００２８】
また、好ましい態様において、カップ部側接合部は、カップ上部前中心端点から、線分Ｌ１と交わりカップ下部前中心端点まで延びる線分を含む。
【００２９】
カップ部側接合部は、胸のボリュームを小さく見せる観点から、前中心側に近いほど好ましい。好ましい態様において、カップ上部前中心端点が点Ｑに位置し、カップ上部背中心端点が点Ｐに位置し、カップ下部接合端部が（１点として）点Ｗに位置し、カップ部側接合部が、点Ｐ１から線分Ｌ１と交わり点Ｗまで延びる線分を含む。この態様において、カップ上部接合端部は、点Ｐ及び点Ｑに加えて、カップ上端周縁部上の任意の位置に（より好ましくは点Ｐから点Ｑまでの全域に亘って）更に存在することが好ましい。またこの態様において、カップ部周縁に沿って点Ｑから点Ｗまで延びる線分上の任意の位置で（より好ましくは点Ｑから点Ｗまでの全域に亘って）カップ部とサブウイング部とがさらに接合されていることが好ましい。
【００３０】
特定の態様においては、カップ上部背中心端点とウイング部側接合部の後述の上部端点とを結ぶ線分がサブウイングの上辺となり、カップ下部背中心端点とウイング部側接合部の後述の下部端点とを結ぶ線分がサブウイングの下辺となる。
【００３１】
ウイング部側接合部の少なくとも一部は、バストトップＨから背中心Ｃまでを最短距離で繋ぐ線分Ｉ上において、該線分Ｉと同一方向の法線を有する平面Ｓを規定した場合に、該バストトップＨから該背中心Ｃに向かって、バストトップＨから背中心Ｃまでの距離の５５〜１００％の位置、好ましくは５５〜９５％の位置の該平面上に存在する。ウイング部側接合部の位置がバストトップから背中心までの距離の５５％以上である場合は、バストに引っ張り力がかかりやすく高い防振性が得られ、且つバストボリュームを小さく見せることが可能となる。一方、ウイング部側接合部の位置がバストトップから背中心までの距離の１００％以下であれば、バストを身体の体幹方向に引き寄せる力が働きやすく高い防振性が得られる。特定の態様において、ウイング部側接合部は該平面上のサブウイング部の全域に亘って存在する。この態様において、ウイング部側接合部の上部端点及び下部端点はそれぞれサブウイング部の上端及び下端である。好ましい態様において、ウイング部側接合部は、平面Ｓ上に線状に形成されている。別の好ましい態様において、ウイング部側接合部は、ホック部（長さ調節機構部１０６）とウイング部との接合部にて接合されていても良い。
【００３２】
サブウイング部１０９は、縫合、溶着又はその他の方法で本体と接合できる。例えば、カップ部側接合部及びウイング部側接合部で本体用の布帛とサブウイング部１０９用の布帛とを重ね、縫合、溶着、又はその他の方法で固定することにより、サブウイング部１０９を形成できる。例えば、本体が２層以上の布帛で構成されている場合には、そのうち１層と接合しても良いし、全層と接合してもよい。例えば、カップ本体部の表面の生地の伸張応力が小さい場合は、表面の生地だけに接合しても生地が伸ばされて、カップを引っ張る効果が小さいため、表面の生地だけが延ばされないようカップ部本体に接合、縫合等することが好ましい。
【００３３】
サブウイング部の、着用時に引張力を受ける領域の面積のうち、非接合部（すなわち本体と接合されていない領域）の面積は、良好な防振効果を得る観点から、好ましくは３０％以上、より好ましくは６０％以上、更に好ましくは８０％以上であり、サブウイング部と本体とがしっかりと接合されているという観点から、好ましくは９９．５％以下、より好ましくは９９％以下、更に好ましくは９８％以下である。
【００３４】
サブウイング部長さは、典型的には、後述のように規定される線分Ｌａ＋Ｌｂの長さである。ウイング部の長さ、並びにＬａの幅及びＬｂの幅の求め方を以下に図３を参照して説明する。
【００３５】
ブラジャー最下端に接するように引いた直線Ｋ１から、カップ上縁とカップ脇縁との境界点Ｐａまでの最短距離を規定する線分Ｋ２を仮想する。線分Ｋ２を通りかつ線分Ｋ２と垂直をなす平面と、本体の布帛表面（着用者からみて外側の表面）との交線のうち、カップ部領域内の長さが最大となる交線を選び、該交線とカップ脇縁との交点をＭ１とし、該交線とカップ部側接合部１０７ａＳにおけるサブウイング部端部側の辺縁との交点をＭ２とし、該交線上のＭ１とＭ２との間の線分を線分Ｌａとする。該交線とウイング部側接合部１０７ｂＳのサブウイング部端部側の辺縁との交点をＭ３とする。該交線上のＭ２とＭ３との間の線分を線分Ｌｂとする。
【００３６】
ウイング部の長さとは、点Ｍ１から、ウイング部の背部端（ウイング部端にホック部を有する場合はホック部との境界、ホック部を有さなければ着用時の背中心Ｃ）までの布帛上での最短長さを意味する。
【００３７】
上記線分Ｋ２の長さは、５ｃｍ〜２５ｃｍが適当である。
【００３８】
サブウイング部長さｍ１は本体との接合部の点Ｍ２と点Ｍ３とを結ぶ生地の中での最短長さとする。また、本体における線分Ｌａ及び線分Ｌｂの合計の長さを本体の接合部間長さｍ２とする。通常ブラジャーは伸張させた状態で着用する。サブウイング部の着用時のヨコ方向伸長率をＥ１とすると、
Ｅ１＝｛(ｍ２／ｍ１)×(１＋Ｅ２／１００)−１｝×１００      （１）
を満たすことが好ましい。
【００３９】
ここで、サブウイング部のヨコ方向とは、点Ｍ２とＭ３を結ぶ生地の中での最短長さとなる線分の方向である。ここで、サブウイング部の長さｍ１、本体における接合部間長さｍ２は、ブラジャーのデザイン、外観形状によって決定されるべき数値である。なお、Ｅ２は着用時の本体のヨコ方向の伸び率を表しており、以下の式にて定義される。
Ｅ２＝｛(アンダーバストサイズ／ブラジャーの最下部の周長)×１００｝−１００
Ｅ２は上記の式に従い、ブラジャーのサイズによって決定されるべき数値である。
これらの数値を用い、（１）式に従い、ブラジャー着用時のサブウイング部ヨコ方向伸長率Ｅ１が算出される。
なお、サブウイング部長さｍ１と本体の接合部間長さｍ２との関係においては、以下の関係を満たすことが好ましい。
１．０１×ｍ１≦ｍ２≦１．５×ｍ１                    （２）
接合部間長さｍ２に対し、サブウイング部の長さが短いことで、製品時及び着用時にサブウイングが弛むことなく着用が可能となり、外観形状が美しいまま、十分な防振性能を有することが可能となる。
【００４０】
上記伸長率Ｅ１において、サブウイング部に発生しているヨコ方向応力σ１は
１００ｃＮ/ｉｎｃｈ≦σ１≦１０００ｃＮ/ｉｎｃｈ    （３）
を満たすことが好ましい。
【００４１】
σ１が１００ｃＮ/ｉｎｃｈ以上であれば、十分な防振性の発現及びバストボリュームを低減させる効果が発現し、σ１が１０００ｃＮ/ｉｎｃｈ以下であれば、着圧、特に肩部、バスト部における着圧が高くなりすぎず、締め付け感が抑制される。好ましくは、１５０ｃＮ/ｉｎｃｈ≦σ１≦８００ｃＮ/ｉｎｃｈ、特に好ましくは、２００ｃＮ/ｉｎｃｈ≦σ１≦６００ｃＮ/ｉｎｃｈである。上記の伸張応力と伸び率との関係の評価は、ＪＩＳ  Ｌ１０９６．８．１２．１  Ａ法のカットストリップ法に準拠して実施する。
【００４２】
更に、サブウイング部１０９のヨコ方向のヤング率ＹＲ１とウイング部１０３のヨコ方向のヤング率ＹＲ２が
０．５≦ＹＲ１／ＹＲ２≦３      （４）
を満たすことが好ましい。ＹＲ１／ＹＲ２が０．５以上であれば、サブウイング部１０９の長さをウイング部１０３の長さとの対比で極端に短くすることなく、外観形状を美しく維持したまま、十分な防振性を得ることができ、ＹＲ１／ＹＲ２が３．０以下であれば、サブウイング部１０９をウイング部との対比で極端に伸長することなく、防振性を発現させる応力が得られ、且つ、バスト部の締め付け感を抑制できる。好ましくは、０．５≦ＹＲ１／ＹＲ２≦２．５、特に好ましくは、０．７≦ＹＲ１／ＹＲ２≦２．０である。ＹＲ１、ＹＲ２は、ＪＩＳ  Ｌ１０９６．８．１２．１  Ａ法のカットストリップ法に準拠して得られた、荷重―歪関係から、荷重を以下の式を参考に、応力に換算し、ひずみ０〜０．１部分の傾きとして算出される。
応力[Ｎ／ｍ2]＝ひずみ０．１時の荷重[Ｎ]／（生地の測定幅[ｍ]×生地の厚み[ｍ]）
ヤング率（ＹＲ１及びＹＲ２）[Ｐａ]＝応力[Ｎ／ｍ2]／（０．１）
【００４３】
サブウイング部１０９の形状、物性の決定方法は以下の通りである。ブラジャーのデザイン、外観、サイズによって、ｍ１、ｍ２、Ｅ２を決定し、（１）式によって、サブウイン部の１０９のヨコ方向伸長率Ｅ１を算出する。その後、サブウイング部１０９とウイング部１０３のヨコ方向のヤング率の比が（４）式を満たしていることを確認する。その後、サブウイング部１０９布帛の伸長率Ｅ１時の応力を求め、（３）式を満たすことを確認して、適切な範囲であれば、サブウイング部１０９の形状、物性を確定する。なお、適切な範囲でない場合は、サブウイング部に用いる布帛の変更、ｍ１及びｍ２つまりブラジャーのデザイン、外観及びＥ２の変更、つまりブラジャーサイズの変更により、適切な範囲になるように変更を行う。
【００４４】
サブウイング部１０９の高さは、サブウイング部のＫ１と垂直な線分の長さで表され、高さが大きいほど防振効果は大きい。したがって、カップ部において、接合部の一部が
カップ部と肩紐部の境界であるＷ１（ＰからＰ１の線分）に存在することが好ましく、ウイング部１０３側の接合部は、ウイングの上端と下端とに亘って延びていることが好ましい。さらに接合部以外の部分では、サブウイング部１０９の高さが本体の高さと同等以上であることが好ましい。
【００４５】
サブウイング部の布帛は必ずしも本体の布帛より伸びにくい必要はなく、サブウイング部の伸びやすさに応じてｍ１とｍ２との長さを上述の式により調整することにより、ブラジャーの肌へのフィット効果を高め、且つ、着用時にサブウイング部のカップ部側接合部に引張り力がかかり、防振効果を発揮させることができる。
【００４６】
サブウイング部は胸のＸ、Ｙ、Ｚ方向の揺れのうち、特にＸ及びＺの方向の防振性に大きく寄与する。すなわちサブウイング部は、カップと胸との密着性を高めてこれらを一体化させる効果に優れ、動作時の胸のはみ出しを防ぐ効果がある。カップと胸との密着性を高めてこれらを一体化させる効果は特にＺ方向の防振性により有効に発揮され、胸のはみ出しを防ぐ効果は特に引っ張り力のかかっているＸ方向の防振性により有効に発揮される。ここでＸ方向は着用時のブラジャーのヨコ方向を意味し、Ｙ方向及びＺ方向はそれぞれＸ方向に対して垂直である。このため、Ｘ方向はヨコ方向、Ｙ方向はタテ方向（身長方向）であり、Ｚ方向は奥行方向を表している。
【００４７】
サブウイング部はカップを斜め後ろ方向（Ｘ方向及びＺ方向の複合方向に対応する）に引っ張ることで、胸を体幹方向に引き寄せることが可能となり、カップと胸との密着性を高めている。カップとバストの密着性が高まることで、カップ内での胸の動きも抑制することが可能となり、総じてＹ方向の揺れも抑制することが可能となる。
【００４８】
サブウイング部は、綿織物、ポリエステル織編物等の、本体の布帛よりも伸びの小さい布帛、又はパワーネット組織の編地等の、本体の布帛よりも伸びの大きい布帛によって構成することができる。サブウイング部の本体との接合部がカップ部側とウイング部側との両端である場合、カップ部側及びウイング部側の両端で本体用の布帛とサブウイング部用の布帛とを重ね、縫合、溶着又はその他の方法で固定することによりサブウイング部を形成できる。
【００４９】
サブウイング部に加え、カップ上縁及び／又は下縁の高応力部を設けること、並びに肩紐部に防振部を設けることにより、外観上の大きな揺れを抑制すると同時に、胸を体幹に引き寄せる効果との相乗効果によって、さらにカップと胸がしっかりと密着することで細かな揺れもより抑制することが可能となる。
【００５０】
特定の態様において、ブラジャーはカップの上縁に沿って延びる上縁高応力部（例えば図２における上縁高応力部１０４）を有する。カップの上縁部に高応力部を配することにより防振効果を発現できる。上縁高応力部は、カップ上縁部に沿って延びて配置されている。なお、上縁高応力部はカップ部の実質的な周縁部分の少なくとも一部を構成すればよい。
【００５１】
カップ部において、中央部の伸張応力Ｓ１に対する上縁高応力部Ｓ２の伸張応力の比Ｓ２／Ｓ１は、２／１〜４００／１であることが好ましい。本開示で、カップの中央部とは、カップ部のバストトップＨ（すなわち着用者のバストのトップ部に対応する位置）を含み単一の伸張応力を有している領域を意味する。本開示において、伸張応力とは、ＪＩＳ  Ｌ１０９６．８．１２．１  Ａ法のカットストリップ法引張り試験に準拠して布帛のタテ方向１０％伸張時応力（Ｎ／２．５ｃｍ幅、以下単にＮと記す）及びヨコ方向１０％伸張時応力（Ｎ）を測定し、これらを平均した値（以下、タテヨコ平均伸張応力、又は単に伸張応力ともいう）をいう。
【００５２】
カップ部が２層以上（例えばウレタンパッド及び布帛の２層）から構成されている場合には、２層以上を重ねた状態で伸張応力を測定する。
【００５３】
上記比Ｓ２／Ｓ１が２／１以上であれば、高応力部による胸の揺れの抑制効果が大きい。一方上記比Ｓ２／Ｓ１が４００／１以下であれば、該高応力部における伸張応力が高くなりすぎず、硬くフィットしにくいブラジャーとなることを回避できる。上記比Ｓ２／Ｓ１は、３／１〜１００／１であることが好ましく、５／１〜８０／１であることがより好ましく、特に好ましくは１０／１〜６０／１である。
【００５４】
上縁高応力部は胸のＸ、Ｙ、Ｚ方向の揺れのうち、特にＸ及びＹの方向の防振性に大きく寄与する。歩く、走る等の動作時には人体の上下動に対し、幾分かの遅れをもって、カップに納まっている胸が上下する。この場合の上方への胸の揺れは、上縁高応力部を設けることにより、効果的に抑制できる。さらに歩く、走る等の動作時には人体の上下動に加えて、体を回転させる左右動も同時に発生する。更に、上縁高応力部をカップ上縁に沿って延びるように設けると、通常、上縁高応力部を水平方向に対してやや斜めに取り付けることができる。これにより、左右動による胸の内側への揺れ、すなわちＸ方向の揺れを抑制することが可能となる。
【００５５】
上縁高応力部はカップ部の上部に幅０．５〜５．０ｃｍに亘って配置されていることが好ましい。上記幅は１．０〜４．０ｃｍであることがさらに好ましい。また、上記幅は任意にデザインできる。例えば、上縁高応力部の幅は、カップ部の着用者身体の前中心側で細く、脇側で太くなるようにデザインできる。
【００５６】
特定の態様において、ブラジャーはカップの下縁に沿って延びる下縁高応力部（例えば図２における下縁高応力部１０５）を有する。カップの下縁部に高応力部を配することにより防振効果を発現できる。下縁高応力部は、カップ部の下縁部に沿って延びて配置されている。なお、下縁高応力部はカップ部の実質的な周縁部分の少なくとも一部を構成すればよい。
【００５７】
カップ部において、中央部の伸張応力Ｓ１に対する下縁高応力部Ｓ３の伸張応力の比Ｓ３／Ｓ１は、２／１〜４００／１であることが好ましい。Ｓ３／Ｓ１が２／１以上であれば、高応力部による胸の揺れの抑制効果が大きい。一方上記比Ｓ３／Ｓ１が４００／１以下であれば、該高応力部における伸張応力が高くなりすぎず、硬くフィットしにくいブラジャーとなることを回避できる。上記比Ｓ３／Ｓ１は、３／１〜１００／１であることが好ましく、５／１〜８０／１であることがより好ましく、特に好ましくは１０／１〜６０／１である。
【００５８】
下縁高応力部は胸のＸ、Ｙ、Ｚ方向の揺れのうち、特にＹ方向の防振性に大きく寄与する。歩く、走る等の動作時には人体の上下動に対し、幾分かの遅れをもって、カップに納まっている胸が上下する。この場合の下方にたたきつけるような胸の揺れが、下縁高応力部を設けることにより、効果的に抑制できる。
【００５９】
下縁高応力部はカップ部の下部に幅０．５〜４．０ｃｍに亘って配置されていることが好ましい。上記幅は１．０〜３．０ｃｍであることがさらに好ましい。上記幅は任意にデザインできる。例えば、カップ部の着用者身体の前中心側で細く、脇側で太くなるようにデザインできる。
【００６０】
上縁高応力部と下縁高応力部とをともに設ける場合には、カップ部全体の面積に対する上縁高応力部と下縁高応力部との面積の和の割合は１０％〜５０％であることが好ましく、２０％〜４０％であることが特に好ましい。上記割合が１０％以上である場合補強効果が大きく、大きいカップであっても胸の揺れ抑制効果が良好に得られる。一方、上記割合が５０％以下である場合、着用時の不快感を良好に回避できる。上縁高応力部と下縁高応力部との面積比率は特に限定されない。
【００６１】
上縁高応力部及び下縁高応力部の伸張応力Ｓ２及びＳ３は、それぞれ２０〜５００Ｎであることが好ましく、より好ましくは５０〜４００Ｎ、更に好ましくは１００〜３５０Ｎである。上記伸張応力が２０Ｎ以上である場合、補強効果が大きく、５００Ｎ以下である場合、着用時の不快感を良好に回避できる。上縁高応力部と下縁高応力部との伸張応力比率は特に限定されない。また、中央部の伸張応力は０．５〜５０Ｎであることが好ましく、より好ましくは１〜２０Ｎ、更に好ましくは１．５〜１５Ｎ、特に好ましくは２〜１０Ｎである。上記伸張応力が０．５Ｎ以上である場合、着用時及び洗濯時に破れ等が起こりにくく、５０Ｎ以下である場合、着用時の不快感を良好に回避できる。
【００６２】
カップ部に上縁高応力部及び／又は下縁高応力部を形成する場合には、カップの所定の位置において、編組織、使用糸のデニール数等の変更により伸張応力の高い部位を配してもよい。また、ブラジャーの内側（すなわち着用者肌面側）に、上縁高応力部又は下縁高応力部となる補強布を縫いつけ又は接着する方法を用いることができる。若しくは、カップにウレタンパッドを使用する場合は、ウレタンパッドをモールド処理する際等に、高応力部となる織物等を挟み込むことで、パットの一部の剛性を高める方法等を使用してもよい。
【００６３】
このような補強布としては、特に限定はしないが、綿織物、ポリエステル織編物、ポリアミド素材の織編物又はパワーネット組織の編地、ツーウエイ組織の編地等のポリウレタン弾性繊維を含む布帛等を使用できる。
【００６４】
特定の態様において、肩紐部は、平均断面積が２０〜１２０ｍｍ2である。このような肩紐部は防振部として機能でき、防振性を一層良好に達成できる。該平均断面積は２５〜１００ｍｍ2であるとさらに好ましい。断面積は肩紐の幅（ｍｍ）×肩紐の厚み（ｍｍ）を意味する。平均断面積は、肩紐部の両端部及びその間を１０等分した各部で測定された断面積の数平均値である。平均断面積は、具体的には以下のように算出できる。
【００６５】
図１及び図４を参照し、肩紐部の平均断面積は、肩紐部のカップ部側（すなわち前側）の端部（すなわち付け根部）の幅Ｗ１×厚み（図示せず）で算出される断面積、ウイング部側（すなわち後側）の端部（すなわち付け根部）の幅Ｗ２×厚み（図示せず）で算出される断面積、及び、カップ部側の端部とウイング部側の端部との間を肩紐部の長さ方向に１０等分する断面（すなわち９つの断面）について、各々の幅×厚み（図示せず）（例えば図１中の幅Ｗ３×厚み）で算出される断面積、の数平均値である。なお、幅Ｗ１及び幅Ｗ２は、それぞれ、肩紐部とカップ部及びウイング部のそれぞれとの脇側の連結点Ｐ及びＰ’から、肩紐部の前中心側の連結点Ｐ１又は背中心側の連結点Ｐ’１までの最短距離を意味する。なお、肩紐の長さを調節するアジャスターを備える場合には、アジャスターの長さを最大にして計測する。
【００６６】
胸の重さは肩紐部分に大きくかかり、特にカップサイズの大きい場合にはその力は非常に大きくなる。そのため、スポーツブラ及びカップサイズの大きいブラジャーの場合には肩紐部の幅を大きくする工夫がされている。しかし、肩紐部の幅が広い場合には、審美性に劣る。肩紐部の幅が狭い場合であっても、肩紐部の断面積を大きくすることで、振動を吸収し、カップ部を安定して支えることができる。肩紐部の平均断面積が２０ｍｍ2より小さい場合には振動を吸収する効果が小さい傾向がある。肩紐部の平均断面積が１２０ｍｍ2より大きい場合には振動は吸収するが、幅を大きくした場合には審美性が損なわれ、厚みを大きくした場合にはごわつき等の肌触り及びアウターへの響きが問題になる傾向がある。ただし、ブラジャーがサブウイング部及び肩紐部に加えて更に補強部（例えば上縁高応力部及び／又は下縁高応力部）を有する場合には、肩紐部の平均断面積を２０ｍｍ2の例えば約８０％以上とすればブラジャーの優れた防振性を保つことができる。例えば肩紐部の平均断面積を１６ｍｍ2以上１００ｍｍ2以下とすることができる。
【００６７】
肩紐部の背側連結中心は、ウイング部の背中心からカップ部側に向かってウイング部の長さの好ましくは１５〜８０％、より好ましくは３０〜６０％離れた位置に存在する。肩紐部の背側連結中心の、ウイング部の背中心からのずれが１５％以上である場合、防振性に優れる利点があり、６０％以下である場合、肩紐部がずり落ち難い利点がある。なおウイング部の長さは前述のように規定される。また肩紐部の背側連結中心とは、図４中、幅Ｗ２をなす線分の中点からウイング部の長さをなす線分に下ろした垂線と、該ウイング部の長さをなす線分との交点を意味する。
【００６８】
肩紐部の伸度（パワー）は、長さ方向に０．５Ｎ／ｍｍ2の加重時の伸びで計測され、３０〜８０％であることが好ましく、４０〜７０％であることがさらに好ましい。伸びはＪＩＳ  Ｌ１０９６．８．１２．１  Ａ法のカットストリップ法引張り試験に準拠して測定できるが、肩紐部全体をつかみ間隔とし、測定の荷重は平均断面積に０．５Ｎを乗じた荷重とする。肩紐部のパワーが３０％以上であれば硬くなりすぎず、振動を良好に吸収できる。肩紐部のパワーが８０％以下であれば伸びが大きくなりすぎず、振動を良好に吸収できる。
【００６９】
肩紐部１１０は、一部に、他の部分よりも小さい伸張応力を有する低応力部を有することが好ましい。このような低応力部を設けることにより着圧の集中を防ぎ、快適性を高めることができる。例えば、図１を参照し、肩部１１０ａを含む領域に、他の部分よりも小さい伸張応力を有する低応力部を有することが望ましい。
【００７０】
肩紐部は胸のＸ、Ｙ、Ｚ方向の揺れのうち、特にＹ方向の防振性に大きく寄与する。歩く、走る等の動作時には人体の上下動が起こり、幾分かの遅れをもって、カップに納まっている胸の上下動が起こるが、一定以上の断面積をもつ肩紐部でカップを上から支えることにより、胸の上下動を押えることができる。さらに肩紐部を中央近くではなく脇側近くに取り付けることにより、胸のＸ、Ｙ、Ｚ方向の揺れのうち、Ｘ方向の防振性にも大きく寄与する。肩紐部を脇側近くに取り付けることにより、カップを斜め上側に引っ張る力が働くため、歩く、走る等の動作時の人体の回転の動きを効果的に抑制できる。肩紐部の取り付け位置は、前側はカップ部の脇側端部から概ねＸ方向に３ｃｍ以内の位置、後側は背中心と脇中心（すなわち前中心と背中心との中間）との中点から脇側に５ｃｍ以内の位置が好ましい。さらに肩紐部は体の後面側に向かって前面のカップを引っ張っているため、Ｚ方向の防振性にも寄与する。
【００７１】
本発明のブラジャーは、上述したとおり、サブウイング部に加え、防振部として、カップの上縁高応力部、カップの下縁高応力部、及び特定の平均断面積の肩紐部のうち１つ又は２つ以上を有する場合、特段の防振効果を発現できる。特にそれぞれのＸ、Ｙ又はＺの方向への防振効果を組み合わせることにより、より一層防振性を高めることができる。
【００７２】
各部材は、それぞれ別個の布帛で形成されていてもよいし、連続した布帛で形成され、形状のみで部材間の境界が画定されてもよい。後者の場合、特にカップ部の外縁は、カップの膨らみの縁が明確であれば縁の位置、不明確であれば膨らみ形状から想定される縁と見なされる位置として画定される。
【００７３】
サブウイング部は前述のように本体を構成する生地（本開示で、身生地ともいう。）に接合されて取り付けられる。また、上縁高応力部及び／下縁高応力部もまた、本体とは別の布帛の補強部として構成されてもよい。本体の身生地とは別体の布帛で構成された補強部は、身生地にパワー切替え等により（すなわち伸張応力の強弱をつけることにより）設けられるものと比べ、防振性がより良好であるという利点を有する。
【００７４】
図５を参照し、特定の態様においては、肩紐部とカップ部との前中心側の連結点Ｐ１、Ｐ２間の距離が最大となるようにブラジャーを配置した時に、肩紐部のカップ部前中心側端点Ｐ１、Ｐ２と連結部の前中心下端点Ｐ３とを結んで形成される三角形Ｔの面積に対する、ブラジャー構成素材で覆われない部分１１１の面積割合が６０％以上であることが好ましく、７０％以上であることがより好ましく、８０％以上であることがさらに好ましく、最も好ましいのは、１００％である。この三角形は、いわゆる胸の谷間の部分を形成する。上記割合が６０％以上ある場合、谷間が隠れてしまうことを防止して良好な審美性を実現できる。本発明のブラジャーは、例えば、特定の防振部を有することによって達成される、後述のような特定の揺れ値を有することができる。本開示のブラジャーは、上記割合が６０％以上である、いわゆる開放された状態であっても、防振性に優れる点で有利である。
【００７５】
本開示のブラジャーは、特定の防振部を有することによって、良好な防振性を示す。したがって、胸の揺れを抑えながら、各部位の着圧を５０ｈＰａ以下にすることができるために本開示の最大着圧を５０ｈＰａ以下にすることができ、着用時の不快な締め付け感を回避できる。一般には、胸の揺れを抑制するためには締め付けを強くすることが多く、特に肩部の着圧が非常に高いブラジャーが散見される。しかし、ブラジャーの各部位の着圧が５０ｈＰａを超えると一般に不快である傾向がある。本発明においては、Ｘ、Ｙ、Ｚの各方向の胸の動きが抑制され、分散されているために、着圧の集中も防ぐことができる。特に上述の肩紐部の補強は着圧分散効果に優れる。最大着圧は、より好ましくは４５ｈＰａ以下、更に好ましくは４０ｈＰａ以下である。一方、最大着圧は着用時のずれを抑え、また揺れを抑える観点から、例えば、好ましくは１０ｈＰａ以上、より好ましくは１３ｈＰａ以上、更に好ましくは１５ｈＰａ以上であることができる。
【００７６】
本開示のブラジャーの各部材（すなわち、身生地及び補強部をそれぞれ構成する部材）の素材は特に限定されず、ポリエステル系繊維、ポリアミド系繊維等の合成繊維、レーヨン、キュプラ、アセテート等のセルロース系繊維、及び綿、麻等の天然繊維が好適に用いられる。各部材を構成する布帛の構造も特に限定されず、編物、織物、不織布等が用いられる。また、捲縮された繊維を用いてもよい。本発明においては、各部材に適正な伸張特性を有する布帛を配置することが有効である。各部材においては、ポリウレタン弾性繊維が交編された伸びを有する編地が好適に用いられる。また、カップ及びウイング部の生地にはダブル丸編、トリコット編、ラッシェル編等を使用できる。使用する編機の編ゲージとしては２０〜４０ＧＧが好ましい。また、高応力部には織物又は経編み物等が好適に用いられ、ジャカード編み機を用いた若干伸びのあるレース等は意匠性にも優れ非常に好適に用いられる。
【００７７】
各部材は、モノフィラメント又はマルチフィラメントで構成できる。マルチフィラメント糸には、二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
【００７８】
本開示のブラジャーの各部材を構成する布帛素材の総繊度は、衣料等で一般的に使用されている範囲であることができる。中でも、強度及びソフトさの観点から、総繊度が約２２〜７００ｄｔｅｘであることが好ましい。
【００７９】
ブラジャーの各部材に用いる布帛の目付は特に限定されないが、約５０〜５００ｇ／ｍ2が好ましい。
【００８０】
また、各部材に用いる布帛には吸水加工を施すことが望ましい。
【００８１】
カップにウレタンパッドを使用する場合は、厚み２〜１５ｍｍのウレタンパッドが好適に用いられるが、立体編み物をカップに用いて通気性を高めることも好ましい。
【００８２】
本開示のブラジャーは防振性に極めて優れる。揺れの程度を客観的に評価するために、以下の方法を用いることができる。身長１６０ｃｍ±８ｃｍで（トップバスト寸法−アンダーバスト寸法）の値が１７．５ｃｍ以上である５名の被験者にブラジャーを着用させ、トレッドミルで速度４．５ｋｍ／ｈ、１分間に１４０歩のペースで、着地時に片足が地面から離れているように小走りさせる。この際、鎖骨部及びバストトップ部に直径１．３ｃｍの反射球を取り付けておき、反射球を２台の高速カメラで２０秒間撮影する。鎖骨部の揺れが７．０ｃｍ程度となるように小走りしたときの胸の揺れの指標として、（バストトップの揺れ）−（鎖骨の揺れ）（ｃｍ）の２０秒間での（極大値の平均）−（極小値の平均）（ｃｍ）を、ヨコ（Ｘ）、タテ（Ｙ）及び奥行き（Ｚ）の３方向について算出する。ここでＸ方向はブラジャーのヨコ方向を意味し、Ｙ方向及びＺ方向はそれぞれＸ方向に対して垂直である。３方向の値のうち最も大きい値を着用時の揺れ（ｃｍ）とし、（トップバスト寸法−アンダーバスト寸法）の値（ｃｍ）で除して揺れ値とする。揺れ値が０．３以下であると揺れが小さく、有利である。揺れ値は０．２５以下であることが好ましく、０．２以下であることがより好ましい。揺れ値は小さい程好ましいが、過度な圧迫を回避し良好な着用感を容易に得る観点から、例えば、好ましくは０．０３以上、より好ましくは０．０５以上であることが好ましい。
【００８３】
本開示におけるカップ内の胸の細かな揺れの程度をさらに、客観的に評価するために、以下の方法を用いることができる。上述する外観の胸の揺れの評価の際に、３軸加速度計（ＳＡ１２ＺＳＣＡ：富士セラミックス社製）を被験者のバストトップの近傍（ブラジャーの内側に位置することとなる）に直接取り付けておき、トレッドミルで速度４．５ｋｍ／ｈ、１分間に１４０歩のペースで、着地時に片足が地面から離れているように小走りさせる。この際の２０秒間の測定において、ｘ方向（ヨコ方向）、ｙ方向（タテ方向）、ｚ方向（奥行方向）の加速度を測定し、各方向の（極大値の平均）−（極小値の平均）（ｍ／ｓ2）を各３方向について算出する。加速度は、低い方がカップ内の胸の細かい揺れが少ないことを表しており、値が小さい方が望ましい。特に５０ｍ／ｓ2以下であると、カップ内での胸の細かい振動を抑えることが可能となり、着用動作時の違和感を低減することが可能となる。
【００８４】
バストボリュームの評価するためには以下の方法を用いる。ブラジャー着用時のブラジャーの左右トップを結んだ線上と胸骨柄から垂直にＺ軸方向（胸骨柄からブラジャー方向）に伸ばした線が直交する点をＧとし、胸骨柄から点Ｇまでの距離をバスト高さとして測定を行う。本距離が小さいほど、外観上のバストボリュームが小さくなると考えられ、バストのボリューム抑制効果があると評価される。
【実施例】
【００８５】
以下、実施例により本発明を具体的に説明する。無論、本発明はこれらに限定されるものではない。なお、実施例及び比較例で得たブラジャーは、以下の方法で評価した。
【００８６】
（１）各部材の生地のタテヨコ平均伸張応力
ＪＩＳ  Ｌ１０９６．８．１２．１  Ａ法のカットストリップ法に準拠し、生地サンプルの応力を計測した。１０％伸張時応力特性については任意に設定した第１の方向の伸張１０％時応力と、第１の方向と垂直の第２の方向の伸張１０％時応力（幅２．５ｃｍあたり）を測定し、これらの平均値を算出した。ヤング率は、応力計測値の歪０〜１０％部分の平均傾きを算出した値を用いて計算を実施した。
試験片の幅：２．５ｃｍ
試験片のつかみ長さ：１０ｃｍ
伸張速度：３０ｃｍ／ｍｉｎ
各部材の生地サンプルについて上記条件で測定を行ったが、試験片のつかみ長さが取れない場合には適宜長さを変更した。試験片の幅が取れない場合には、適宜幅を変更し、得られた応力値を２．５ｃｍ幅あたりの数値に換算した。
【００８７】
（２）本体の生地の伸張応力及び伸び
ＪＩＳ  Ｌ１０９６．８．１２．１  Ａ法のカットストリップ法に準拠し、２２．１Ｎまでの伸びを計測し、設定の応力に対応する伸びを求めた。
【００８８】
（３）サブウイング部生地のヨコ方向伸張応力の測定
伸縮性編地の伸張応力は次の方法により測定した。
試料の大きさ：長さ１００ｍｍ（把持部を除く）
試験片の幅：２５ｍｍ
引張り試験機：テンシロン引張り試験機（（株）オリエンテック製  ＲＴＣ−１２１０Ａ）
初荷重：０．１Ｎ
引張り速度：３００ｍｍ／ｍｉｎ
引張り長及び測定：３０％伸張まで伸張し、同じ速度で伸張後元の長さに戻し（回復させ）、この条件で伸張、回復を３回繰り返し、３回目の３０％伸張時の伸張応力値を求めた。
【００８９】
（４）肩紐部の伸度
ＪＩＳ  Ｌ１０９６．８．１２．１  Ａ法のカットストリップ法に準拠し、肩紐部の伸張時応力特性を計測した。肩紐の長さ方向に０．５（Ｎ）×断面積（ｍｍ2）の荷重をかけ、伸度（％）を測定した。なお補強部の肩紐が存在する場合は、身生地の肩紐部と補強部の肩紐の各々の伸度を測定した。
試験片のつかみ長さ：１０ｃｍ
伸張速度：３０ｃｍ／ｍｉｎ
各部材の生地サンプルについて上記条件で測定を行ったが、試験片のつかみ長さが取れない場合には適宜長さを変更した。試験片の幅が取れない場合には、適宜幅を変更し測定した。
【００９０】
（５）着用時の揺れ
身長１６０ｃｍ±８ｃｍで（トップバスト−アンダーバスト）によるブラジャーサイズが３８ＤＤ（イギリスサイズ）（日本サイズでは８５E）である５名の被験者にブラジャーを着用させ、トレッドミルで速度４．５ｋｍ／ｈ、１分間に１４０歩のペースで、着地時に片足が地面から離れているように小走りさせた。（この際、鎖骨部及びバストトップ部に直径１．３ｃｍの反射球を取り付けておき、反射球を２台の高速カメラ（２５０コマ／ＳＥＣ）で２０秒間撮影した。鎖骨部の揺れは７．０ｃｍ程度とした。着用時の胸の揺れの指標として、（バストトップの揺れ）−（鎖骨の揺れ）（ｃｍ）の２０秒間での（極大値の平均）−（極小値の平均）（ｃｍ）を算出し、ヨコ（Ｘ）、タテ（Ｙ）及び奥行き（Ｚ）の値のうち最も大きい方向の値を着用時の揺れ（ｃｍ）とし、（トップバスト−アンダーバスト）（ｃｍ）で除して揺れ値とした。５名の結果を平均して算出した。
【００９１】
（６）着用時の加速度
着用時の揺れの測定時、３軸加速度計（ＳＡ１２ＺＳＣＡ：富士セラミックス社製）を被験者のバストトップの近傍（ブラジャーの内側に位置することとなる）に直接取り付けておき、上記揺れの測定試験時と同様に、トレッドミルで速度４．５ｋｍ／ｈ、１分間に１４０歩のペースで、着地時に片足が地面から離れているように小走りさせた。この際の２０秒間の測定において、ｘ方向（ヨコ方向）、ｙ方向（タテ方向）、ｚ方向（奥行方向）の加速度を測定し、各方向の（極大値の平均）−（極小値の平均）（ｍ／ｓ2）を各３方向について算出した。なお、加速度は、各方向の値において、５名の被験者の結果を平均して算出を行った。
【００９２】
（７）バストボリュームの外観上の見え方の計測
図１２を参照し、ブラジャー着用時のブラジャーの左右トップを結んだ線上と胸骨柄から垂直にＺ軸方向（胸骨柄からブラジャー方向）伸ばした線が直交する点をＧとし、胸骨柄から点Ｇまでの距離をバスト高さとして測定を行った。
【００９３】
（８）最大着圧
（株）エイエムアイ・テクノ社製の多点接触圧計（ＡＭＩ３０３７−１０）を用いて、ブラジャー着用時に、ウイング部における下辺テープ部、ウイング部中央部、肩紐部の肩中央部、肩紐部の後側付け根部、カップ上方、カップ脇部、及びカップ下方において、着用者とブラジャーとの間にセンサーを挿入して着圧を測定し、得られた値のうち最大値を最大着圧（ｈＰａ）とした。
【００９４】
（９）快適性及び揺れ感、バストボリュームの見え方
快適性
（５）の着用試験時に以下の基準で評価し、モニターの評価を平均した。
５：  圧迫感がほとんどなく非常に快適である
４：  圧迫感が小さく快適である
３：  やや圧迫感があるが不快ではない。
２：  圧迫感があり不快である
１：  圧迫感が強く非常に不快である
揺れ感
（５）の着用試験時に以下の基準で評価し、モニターの評価を平均した。
５：  胸の揺れが気にならない
４：  胸の揺れがあまり気にならない
３：  どちらともいえない
２：  胸の揺れが気になる
１：  胸の揺れがかなり気になる
バストボリュームの見え方
ブラジャー着用時にモニターに鏡に映った自身のシルエットを見てもらい、ブラを着用することでのバストボリュームの見え方を評価し、モニターの評価を平均した。
５：  バストの大きさが特に気にならない
４：  バストの大きさがあまり気にならない
３：  特に変わらない
２：  バストの大きさがやや気になる
１：  バストの大きさがかなり気になる
【００９５】
［実施例１］
以下の方法で、図６に示す形状である、イギリスサイズ３８ＤＤのブラジャー（日本サイズのＥ８５に対応）（トップバスト寸法とアンダーバスト寸法との差は、２０ｃｍ、バストトップから背中心線までの最短距離が最長になるようにブラジャーを配置したときの当該最短距離は、３０ｃｍ）を作製した。
【００９６】
カップに厚み６ｍｍで１０％タテヨコ平均伸張応力が３．０Ｎのウレタン成形品を用い、ナイロン５６ｄｔｅｘポリウレタン４４ｄｔｅｘの２８ＧＧツーウエイトリコット編地で、１０％タテヨコ平均伸張応力が０．４Ｎの生地でカップを包み、カップ部１０２を作製した。カップ部全体の１０％タテヨコ平均伸張応力は３．７Ｎであった。ウイング部１０３にも同じツーウエイトリコット編地を用い、下辺テープにはラッセル１ｃｍ幅テープであってタテヨコ平均伸張応力が１．７Ｎのものを用いた。
【００９７】
カップ上部接合端部が、点Ｑと点Ｐ１（すなわち２点）であり、カップ下部接合端部が点Ｗ（すなわち１点）であり、更に、カップ部周縁に沿って点Ｑから点Ｗまで延びる線分上の全域でサブウイング部とカップ部とが接合されており（したがって点Ｐ１と点Ｗとがそれぞれサブウイング部の上辺端部及び下辺端部であり）、バストトップＨから背中心Ｃに向かって線分Ｉ全長の８０％の位置に、サブウイング部の上辺から下辺に亘って線状に延びるウイング側接合部を有するサブウイング部を、ナイロン３３ｄｔｅｘ及びポリウレタン４４ｄｔｅｘ及び挿入糸としてポリウレタン３１０ｄｔｅｘからなるパワーネットにより形成した。本ブラジャーにおいては、ｍ２を３１ｃｍとし、ｍ１を２８ｃｍとした結果、着用時のサブウイング部の伸長率であるＥ１は３１．８％となった。本伸長率におけるサブウイング部の伸張応力σは２７３ｃＮ/ｉｎｃｈであった。なお、サブウイング部とウイング部のヤング率比であるＹＲ１／ＹＲ２は１．１９であった。
【００９８】
肩紐部は経糸に６４０ｄｔｅｘポリウレタンに７０ｄｔｅｘのナイロン加工糸をダブルカバーリングした糸（ドラフト３．５）と１５５ｄｔｅｘのナイロン加工糸を１本交互で配し、緯糸に１５５ｄｔｅｘのナイロン加工糸を用いた織物を作製した。Ｗ１において、幅１．０ｃｍ、厚みは２．０ｍｍ及び、Ｗ２において、幅１．２ｃｍ、厚みは２．０ｍｍ、中間点であるＷ３において、幅１．８ｃｍ、厚みは２．０ｃｍ（平均断面積は２７ｍｍ2）とし取り付けた。肩紐部の長さ方向の伸度は肩中央部で６４％であった。
【００９９】
カップの下縁部及び上縁部に幅２ｃｍのマーキゼット織物をウレタンカップに挟み込み、モールドすることで、カップと一体化させた。本防振部における１０％平均伸張応力は３５Ｎであった。
【０１００】
肩紐部のカップ部前中心側端点Ｐ１，Ｐ２と連結部の前中心下端点Ｐ３とを結んで形成される三角形の面積において、ブラジャー構成素材で覆われていない面積は７２％であった。
【０１０１】
作製したブラジャーを着用したときの着用時の胸の揺れの防振効果は大きく、また着圧の最大値は小さく、加速度の絶対値も小さく抑えられており、快適性にも優れていた。更に肩紐部のカップ部前中心側端点Ｐ１，Ｐ２と連結部の前中心下端点Ｐ３とを結んで形成される三角形の面積の７２％がブラジャー構成素材で覆われておらず、審美性にも優れていた。また、本ブラジャー着用時には、バストの高さが低減されており、外観上バストボリュームが小さく見える傾向であった。
【０１０２】
［実施例２］
図７を参照し、実施例１のブラジャーにおいて、サブウイングの形状を変更したものを作製した。カップ上部接合端部が点Ｐ１であり、カップ下部接合端部が点Ｋであり、点Ｐ１から線分Ｌ１の中点を通って点Ｋに至る線分に亘ってサブウイング部とカップ部とが接合されており（したがって点Ｐ１と点Ｋとがそれぞれサブウイング部の上辺端部及び下辺端部であり）、バストトップＨから背中心Ｃに向かって８０％の位置に実施例１と同様のウイング部側接合部を有するサブウイング部を、ナイロン３３ｄｔｅｘ及びポリウレタン４４ｄｔｅｘ及び挿入糸としてポリウレタン３１０ｄｔｅｘからなるパワーネットにより形成した。本ブラジャーにおいては、ｍ２を２８ｃｍとし、ｍ１を２５．５ｃｍとした結果、着用時のサブウイング部の伸長率であるＥ１は３０．７％となった。本伸長率におけるサブウイング部の伸張応力σは２５４ｃＮ/ｉｎｃｈであった。なお、サブウイング部とウイング部のヤング率比であるＹＲ１／ＹＲ２は１．１９であった。
【０１０３】
［実施例３］
図８を参照し、実施例１のブラジャーにおいて、サブウイング部の形状を変更したものを作製した。カップ上部接合端部が点Ｐ１であり、カップ下部接合端部が点Ｋであり、点Ｐ１からバストトップＨを通って点Ｋに至る線分に亘ってサブウイング部とカップ部とが接合されており（したがって点Ｐ１と点Ｋとがそれぞれサブウイング部の上辺端部及び下辺端部であり）、バストトップＨから背中心Ｃに向かって８０％の位置に実施例１と同様のウイング部側接合部を有するサブウイング部を、ナイロン３３ｄｔｅｘ及びポリウレタン４４ｄｔｅｘ及び挿入糸としてポリウレタン３１０ｄｔｅｘからなるパワーネットにより形成した。本ブラジャーにおいては、ｍ２を２６ｃｍとし、ｍ１を２３．５ｃｍとした結果、着用時のサブウイング部の伸長率であるＥ１は３１．７％となった。本伸長率におけるサブウイング部の伸張応力σは２６６ｃＮ/ｉｎｃｈであった。なお、サブウイング部とウイング部のヤング率比であるＹＲ１／ＹＲ２は１．１９であった。
【０１０４】
［実施例４］
図９を参照し、実施例１のブラジャーにおいて、サブウイングの形状を変更したものを作製した。カップ上部接合端部が点Ｐであり、カップ下部接合端部が点Ｙであり、点Ｐから線分Ｌ１と交わって点Ｙに至る線分に亘ってサブウイング部とカップ部とが接合されており（したがって点Ｐと点Ｙとがそれぞれサブウイング部の上辺端部及び下辺端部であり）、バストトップＨから背中心Ｃに向かって８０％の位置に実施例１と同様のウイング部側接合部を有するサブウイング部を、ナイロン３３ｄｔｅｘ及びポリウレタン４４ｄｔｅｘ及び挿入糸としてポリウレタン３１０ｄｔｅｘからなるパワーネットにより形成した。本ブラジャーにおいては、ｍ２を２８ｃｍとし、ｍ１を２５．５ｃｍとした結果、着用時のサブウイング部の伸長率であるＥ１は３０．７％となった。本伸長率におけるサブウイング部の伸張応力σは２５４ｃＮ/ｉｎｃｈであった。なお、サブウイング部とウイング部のヤング率比であるＹＲ１／ＹＲ２は１．１９であった。
【０１０５】
［実施例５］
図１０を参照し、実施例１のブラジャーにおいて、サブウイングの形状を変更したものを作製した。カップ上部接合端部が点Ｐ１であり、カップ下部接合端部が点Ｗであり、点Ｐ１から線分Ｌ１と交わって点Ｗに至る線分に亘ってサブウイング部とカップ部とが接合されており（したがって点Ｐ１と点Ｗとがそれぞれサブウイング部の上辺端部及び下辺端部であり）、バストトップＨから背中心Ｃに向かって８０％の位置に実施例１と同様のウイング部側接合部を有するサブウイング部を、ナイロン３３ｄｔｅｘ及びポリウレタン４４ｄｔｅｘ及び挿入糸としてポリウレタン３１０ｄｔｅｘからなるパワーネットにより形成した。本ブラジャーにおいては、ｍ２を２８ｃｍとし、ｍ１を２５．５ｃｍとした結果、着用時のサブウイング部の伸長率であるＥ１は３０．７％となった。本伸長率におけるサブウイング部の伸張応力σは２５４ｃＮ/ｉｎｃｈであった。なお、サブウイング部とウイング部のヤング率比であるＹＲ１／ＹＲ２は１．１９であった。
【０１０６】
［実施例６］
実施例１のブラジャーにおいて、カップ上部接合端部が、カップ上縁周縁部上の点Ｑから点Ｐ１まで連続する部位であり、カップ下部接合端部が点Ｗであり、更に、カップ部周縁に沿って点Ｑから点Ｗまで延びる線分に亘ってサブウイング部とカップ部とが接合されており（したがって点Ｐ１と点Ｗとがそれぞれサブウイング部の上辺端部及び下辺端部であり）、バストトップＨから背中心Ｃに向かって８０％の位置に実施例１と同様のウイング部側接合部を有するサブウイング部を、ナイロン３３ｄｔｅｘ及びポリウレタン４４ｄｔｅｘ及び挿入糸としてポリウレタン３１０ｄｔｅｘからなるパワーネットにより形成した。本ブラジャーにおいては、ｍ２を３１ｃｍとし、ｍ１を３０ｃｍとした結果、着用時のサブウイング部の伸長率であるＥ１は２３％となった。本伸長率におけるサブウイング部の伸張応力σは１３０ｃＮ/ｉｎｃｈであった。なお、サブウイング部とウイング部のヤング率比であるＹＲ１／ＹＲ２は１．１９であった。
【０１０７】
［実施例７］
実施例１のブラジャーにおいて、カップ上部接合端部が、カップ上縁周縁部上の点Ｑから点Ｐ１まで連続する部位であり、カップ下部接合端部が点Ｗであり、更に、カップ部周縁に沿って点Ｑから点Ｗまで延びる線分に亘ってサブウイング部とカップ部とが接合されており（したがって点Ｐ１と点Ｗとがそれぞれサブウイング部の上辺端部及び下辺端部であり）、バストトップＨから背中心Ｃに向かって８０％の位置に実施例１と同様のウイング部側接合部を有するサブウイング部を、ナイロン３３ｄｔｅｘ及びポリウレタン４４ｄｔｅｘ及び挿入糸としてポリウレタン３１０ｄｔｅｘからなるパワーネットにより形成した。本ブラジャーにおいては、ｍ２を３１ｃｍとし、ｍ１を２６ｃｍとした結果、着用時のサブウイング部の伸長率であるＥ１は４２％となった。本伸長率におけるサブウイング部の伸張応力σは７４４ｃＮ/ｉｎｃｈであった。なお、サブウイング部とウイング部のヤング率比であるＹＲ１／ＹＲ２は２．６であった。
【０１０８】
［実施例８］
実施例１のブラジャーにおいて、カップ上部接合端部が、カップ上縁周縁部上の点Ｑから点Ｐ１まで連続する部位であり、カップ下部接合端部が点Ｗであり、更に、カップ部周縁に沿って点Ｑから点Ｗまで延びる線分に亘ってサブウイング部とカップ部とが接合されており（したがって点Ｐ１と点Ｗとがそれぞれサブウイング部の上辺端部及び下辺端部であり）、バストトップＨから背中心Ｃに向かって８０％の位置に実施例１と同様のウイング部側接合部を有するサブウイング部を、ナイロン５６ｄｔｅｘ及びポリウレタン４４ｄｔｅｘ及び挿入糸としてポリウレタン３１０ｄｔｅｘからなるパワーネットにより形成した。本ブラジャーにおいては、ｍ２を３１ｃｍとし、ｍ１を２９ｃｍとした結果、着用時のサブウイング部の伸長率であるＥ１は２７％となった。本伸長率におけるサブウイング部の伸張応力σは３２２ｃＮ/ｉｎｃｈであった。なお、サブウイング部とウイング部のヤング率比であるＹＲ１／ＹＲ２は１．１９であった。
【０１０９】
［実施例９］
実施例１のブラジャーにおいて、カップ部の上縁高応力部及び下縁高応力部を設けないブラジャーを作製し、着用試験を実施した。
【０１１０】
［実施例１０］
実施例１のブラジャーにおいて、肩紐部を経糸に６４０ｄｔｅｘポリウレタンに７０ｄｔｅｘのナイロン加工糸をダブルカバーリングした糸（ドラフト３．５）と１５５ｄｔｅｘのナイロン加工糸を１本交互で配し、緯糸に１５５ｄｔｅｘのナイロン加工糸を用いた織物にて作製した。Ｗ１において、幅１．０ｃｍ、厚みは１．５ｍｍ及び、Ｗ２において、幅１．０ｃｍ、厚みは１．５ｍｍ、中間点であるＷ３において、幅１．０ｃｍ、厚みは１．５ｃｍ（平均断面積は１５ｍｍ2）とし取り付けた。肩紐部の長さ方向の伸度は肩中央部で７２％であった。
【０１１１】
［比較例１］
図１１を参照し、実施例１のブラジャーにおいて、サブウイング部の形状を変更したものを作製した。バストトップＨから背中心Ｃに向かって、１５％の位置（カップ部上に存在）に第１の接合部を、８０％の位置に第２の接合部（ウイング部上に存在）を有するサブウイング部を、ナイロン４４ｄｔｅｘ及びポリウレタン４４ｄｔｅｘ及び挿入糸としてポリウレタン３１０ｄｔｅｘからなるパワーネットにより形成した。パワーネットのヨコ方向の３０％伸張応力は２．７０Ｎであった。また、サブウイング部におけるＬｂは、ウイング部の長さに対して８５％にて形成した。
【０１１２】
［比較例２］
実施例１のブラジャーにおいて、サブウイング部を設置しないものを作製し、着用試験を実施した。
【０１１３】
実施例と比較例の結果からわかるように、本開示の所定形状のサブウイング部によれば、高い防振性を保持しつつも、着圧を上げることなく、バストボリュームを小さく見せるブラジャーを得ることができる。また、着圧を上げることなく高い防振性を保持できていることによって、快適性も高いブラジャーを得ることが可能となる。
【０１１４】
特に、各実施例及び比較例に示す結果からわかるように、本開示の所定形状のサブウイング部によれば、全体的な大きな揺れを低減しつつも細かな揺れを減らすことが可能となり、着用時の違和感に対応する揺れ感を低減できるような高い快適性を有するブラジャーを得ることができる。
【０１１５】
【表１】
2018178281.tif 000003
【０１１６】
【表２】
2018178281.tif 000004
【０１１７】
【表３】
2018178281.tif 000005
【産業上の利用可能性】
【０１１８】
本発明は、フロント部に一般的な開口部を有するような一般用ブラジャーに好適に適用できる。
【符号の説明】
【０１１９】
１００    ブラジャー
１０１    カップ部
１０２    連結部
１０３    ウイング部
１０４    上縁高応力部
１０５    下縁高応力部
１０６    長さ調節機構
１０７ａＳ    カップ部側接合部
１０７ｂＳ    ウイング部側接合部
１０９    サブウイング部
１１０    肩紐部
１１１    ブラジャー構成素材で覆われない部分
Ｃ    背中心
Ｇ    ブラジャーの左右トップを結んだ線上と胸骨柄から垂直にＺ軸方向（胸骨柄からブラジャー方向）に伸ばした線が直交する点
Ｈ    バストトップ
Ｉ    バストトップと背中心とを結ぶ線分
Ｋ    カップ最下点
Ｌ１    バストトップから連結部とカップ部との境界部の上端点までを最短距離で繋ぐ線分
Ｑ    連結部とカップ部との境界部の上端点
Ｐ    肩紐部とカップ部との脇側の連結点
Ｐ１    肩紐部とカップ部との前中心側の連結点
Ｐ’    肩紐部とウイング部との脇側の連結点
Ｐ’１    肩紐部とウイング部との背中心側の連結点
Ｐ２    肩紐部とカップ部との前中心側の連結点
Ｐ３    連結部の前中心下端点
Ｓ    平面
Ｔ    三角形
Ｗ    連結部とカップ部との境界部の下部端点
Ｙ    ウイング部とカップ部との境界部の下部端点
【図１】
2018178281.tif 000006
【図２】
2018178281.tif 000007
【図３】
2018178281.tif 000008
【図４】
2018178281.tif 000009
【図５】
2018178281.tif 000010
【図６】
2018178281.tif 000011
【図７】
2018178281.tif 000012
【図８】
2018178281.tif 000013
【図９】
2018178281.tif 000014
【図１０】
2018178281.tif 000015
【図１１】
2018178281.tif 000016
【図１２】
2018178281.tif 000017